(57)【要約】【課題】既設の住宅建物の屋根に簡単に固定することができるとともに、優れた耐久性および雪止め効果を発揮することができる雪止め金具を提供する。【解決手段】既設の屋根５に取り付ける雪止め金具１であって、屋根瓦５０の下端部を持ち上げた際にできる間隙から挿入可能な幅の帯板状に形成され、先端部には係止部２１が形成され、基端部には固定部２２が形成された係止片２と、この係止片２の固定部２２に固定される雪止め板３と、雪止め板３から延設され、係止部４１が形成された支持片４とからなり、係止片２は既設の屋根瓦５０の下端部を持ち上げた間隙から係止片２の係止部２１を挿入係止させて固定部２２を雪止め板３に固定した状態で、屋根瓦５０の上に雪止め板３を載置できる長さに形成され、支持片４は係止片２と支持片４とで屋根瓦５０を挟持固定できる長さに延設されてなるものである。【選択図】  図３
2007315138.tif 000002
【特許請求の範囲】
【請求項１】
既設の屋根に取り付けられる雪止め金具であって、
既設の屋根瓦の下端部を持ち上げた際にできる間隙から挿入が可能な幅の帯板状に形成され、その先端部には、屋根瓦の上端部に係止可能なコ字状に屈曲された係止部が形成されるとともに、基端部には、係止部とは反対側で長手方向に対して直行する方向に屈曲された固定部が形成されてなる係止片と、
この係止片の固定部に固定される雪止め板と、
雪止め板から延設され、屋根瓦の下端部に係止可能なコ字状に屈曲された係止部が形成された支持片とからなり、
係止片は、係止部および固定部を水平にした状態で、既設の屋根瓦の下端部を持ち上げた際にできる間隙から係止片の係止部を挿入した後、係止部および固定部を垂直にして挿入した係止片を引き戻すことで係止部を屋根瓦の上端部に係止させることができるとともに、この状態で、固定部を雪止め板に固定することで、係止部を係止させた屋根瓦の上に雪止め板を載置できる長さに形成され、
支持片は、係止部を屋根瓦の下端部に係止させて、係止片の固定部を雪止め板に固定した状態で、係止片と支持片とで屋根瓦を挟持固定できる長さに延設されてなることを特徴とする雪止め金具。
【請求項２】
係止片は、雪止め板を屋根瓦の被覆シロの上に位置させることができる長さに設定された請求項１記載の雪止め金具。
【発明の詳細な説明】
【技術分野】
【０００１】
本発明は、屋根に取り付けられる雪止め金具に関するものである。
【背景技術】
【０００２】
一般に、豪雪地方の住宅建物の屋根には、雪止め金具が設けられている。
【０００３】
このような雪止め金具は、住宅建物の新築時に設置するものであり、建築後に設置する場合は、瓦を一旦取り外して雪止め金具を取り付けるか、新築用の金具を切断加工して瓦の隙間に差し込み、接着剤等で固定していた。したがって、施工作業が煩わしく、切断加工して取り付けた場合には充分な施工強度が得られないことが懸念されていた。
【０００４】
そこで、従来より、既設の屋根に取り付けることができる雪止め金具として、雪止め板から連設された背面下板と、背面上板との間で瓦の下端部分を挟持固定するようになされた雪止め金具が提案されている（特許文献１参照）。
【特許文献１】特開２００３−２０７６２号公報
【発明の開示】
【発明が解決しようとする課題】
【０００５】
しかし、上記従来の雪止め金具の場合、図５に示すように、雪をせき止めることとなる雪止め板ａは、この雪止め板ａから連設された背面下板ｂと、背面上板ｃとの間で瓦ｄの下端部分ｅに挟持固定されるため、上段の瓦ｄの下端部分ｅから離れすぎると固定状態が安定しなくなる。
【０００６】
そのため、背面下板ｂを短くして雪止め板ａをできるだけ挟持固定位置、すなわち、瓦ｄの下端部分ｅに近くすることが考えられるが、この場合、瓦ｄの段差のすぐ後に雪止め板ａが位置することとなる。雪止め板ａは、その高さＨ分だけ雪止め効果を発揮できることとなるが、瓦ｄの段差のすぐ後に雪止め板ａが位置した場合、実質的には雪止め板ａの高さから段差の分を引いた高さｈしか効いていないこととなり、充分な雪止め効果が得られなくなる。
【０００７】
また、上記従来の雪止め金具は、背面下板ｂと、背面上板ｃとの間で瓦ｄの下端部分ｅに挟持固定されるため、挟持固定する場合の固定強度を誤ると、瓦ｄが割れてしまうことが懸念される。
【０００８】
さらに、瓦ｄは、その下端部分ｅと上端部分ｆとで主に荷重を支持しているため、雪止め板ａの支持部ｇが、瓦ｄの中央部に位置すると、この中央部に集中して雪止め金具の荷重が加わることとなり、瓦ｄが割れ易くなることが懸念される。
【０００９】
本発明は、係る実情に鑑みてなされたものであって、既設の住宅建物の屋根に簡単に固定することができるとともに、優れた耐久性および雪止め効果を発揮することができる雪止め金具を提供することを目的としている。
【課題を解決するための手段】
【００１０】
上記課題を解決するための本発明の雪止め金具は、既設の屋根に取り付けられる雪止め金具であって、既設の屋根瓦の下端部を持ち上げた際にできる間隙から挿入が可能な幅の帯板状に形成され、その先端部には、屋根瓦の上端部に係止可能なコ字状に屈曲された係止部が形成されるとともに、基端部には、係止部とは反対側で長手方向に対して直行する方向に屈曲された固定部が形成されてなる係止片と、この係止片の固定部に固定される雪止め板と、雪止め板から延設され、屋根瓦の下端部に係止可能なコ字状に屈曲された係止部が形成された支持片とからなり、係止片は、係止部および固定部を水平にした状態で、既設の屋根瓦の下端部を持ち上げた際にできる間隙から係止片の係止部を挿入した後、係止部および固定部を垂直にして挿入した係止片を引き戻すことで係止部を屋根瓦の上端部に係止させることができるとともに、この状態で、固定部を雪止め板に固定することで、係止部を係止させた屋根瓦の上に雪止め板を載置できる長さに形成され、支持片は、係止部を屋根瓦の下端部に係止させて、係止片の固定部を雪止め板に固定した状態で、係止片と支持片とで屋根瓦を挟持固定できる長さに延設されてなるものである。
【００１１】
また、上記雪止め金具において、係止片は、雪止め板を屋根瓦の被覆シロの上に位置させることができる長さに設定されたものである。
【発明の効果】
【００１２】
以上述べたように、本発明によると、既設の屋根瓦の下端部を持ち上げた際にできる間隙から、係止部および固定部を水平にした係止片を挿入した後、係止部および固定部を垂直にして挿入した係止片を引き戻すことで係止部を屋根瓦の上端部に係止させるとともに、この状態で、固定部を雪止め板に固定することで、屋根瓦の上に雪止め板を載置して、既設の住宅建物の屋根に簡単に固定することができる。また、雪止め金具は、屋根瓦の上端部に係止させた係止片と、屋根瓦の下端部に係止させた支持片とで屋根瓦を挟持固定することによって取り付けられるので、金具が外れることも無い。
【００１３】
また、雪止め板を瓦の被覆シロの上に位置させることができる長さに設定された係止片の雪止め金具を用いることで、雪止め板から瓦に加わる荷重を、最も強固な被覆シロの部分に負担させることができ、優れた耐久性が得られる。また、雪止め板を、上段の瓦の段差から充分距離をとった位置に載置させることができ、段差の影響を受けずに優れた雪止め効果を発揮することができる。
【発明を実施するための最良の形態】
【００１４】
以下、本発明の実施の形態を図面を参照して説明する。
【００１５】
図１は、雪止め金具１の全体構成の概略を示し、図２ないし図４は同雪止め金具１の施工状態を示している。
【００１６】
すなわち、この雪止め金具１は、係止片２と雪止め板３と、支持片４とからなり、既設の屋根５に取り付けることができるようになされている。
【００１７】
屋根瓦５０は、その上端部を、野地板５１の横桟５２に係止させて釘５３などで固定される。そして、この固定部分を他の屋根瓦５０の下端部で被覆するようにして下側から上側へと屋根瓦５０を順に設けていくことで、屋根５が形成される。本実施の形態において、屋根瓦５０は、流れ方向に約３５０ｍｍ、幅方向に約３０６ｍｍの大きさに形成されており、屋根瓦５０の上端部と、この上端部に被覆される屋根瓦５０の下端部との被覆シロ５０ａは、約７０ｍｍとなされている。屋根瓦５０は上端部が固定され、下端部はフリーの状態のままで仕上げられているため、施工完了状態で、屋根瓦５０の下端部側は、約２０ｍｍ強の隙間が形成できる位持ち上げることができるようになされている。
【００１８】
係止片２は、上記隙間から挿入が可能な幅、すなわち２０ｍｍ以下、好ましくは１０〜２０ｍｍの幅の帯板状に形成されている。係止片２の先端部には、屋根瓦５０の上端部に係止可能なコ字状に屈曲された係止部２１が形成されている。係止片２の基端部には、係止部２１とは反対側で長手方向に対して直行する方向に屈曲された固定部２２が形成されている。固定部２２の基端部と先端部とには、それぞれビス孔２０が設けられている。
【００１９】
雪止め板３は、その下端部が、雪止め板３に対して直行する方向に屈曲されて雪止め板３を支持する支持部３１を形成するようになされている。支持部３１の中央部には強度を確保するために凹設された凹設部３２が形成されている。雪止め板３の上端部は安全のため、支持部３１とは反対側に屈曲されている。
【００２０】
支持片４は、係止片２と同様の帯板状に形成されており、その先端部には、屋根瓦５０の下端部に係止可能なコ字状に屈曲された係止部４１が形成されている。支持片４の基端部には、係止部４１とは反対側で長手方向に対して直行する方向に屈曲された固定部４２が形成されている。この支持片４は、固定部４２が、雪止め板３の中央部に溶接またはカシメ止めによって一体化され、雪止め板３の中央下端の凹設部３２の位置から、支持部３１の方向に沿って延設するようになされている。このように雪止め板３から支持片４を延設するように一体化した状態で、支持片４の固定部４２の基端部と先端部とに相当する雪止め板３の中央基端部と中央上端部の位置には、それぞれビス孔３０が設けられる。
【００２１】
このようにして構成される雪止め金具１は、係止片２の固定部２２に設けたビス孔２０と、雪止め板３のビス孔３０とを合致させて両者をビス６で固定した状態で、係止片２の係止部２１と支持片４の係止部４１との間で屋根瓦５を上下から挟持固定することができるように、係止片２および支持片４の長さが設定されている。
【００２２】
次に、このようにして構成される雪止め金具１の施工手順について説明する。
【００２３】
まず、図２に示すように、既設の屋根５において、雪止め金具１を取り付けようと思う屋根瓦５０の直上の位置に設けられた屋根瓦５０の下端部を持ち上げる。そして、この持ち上げた間隙から、係止部２１と固定部２２とを水平に寝かせた状態にした雪止め金具１の係止片２を挿入する。
【００２４】
図３に示すように、係止片２の係止部２１が屋根瓦５０の上端部を確実に超えた位置まで挿入した後、係止片２を回動させて、係止部２１が下、固定部２２が上となった垂直方向に起こした状態にする。
【００２５】
図４に示すように、この状態で係止片２を、屋根瓦５０の下端部方向に引き戻す。すると、係止片２の係止部２１が、屋根瓦５０の上端部に係止され、これによって、係止片２が屋根瓦５０に係止固定される。
【００２６】
そして、雪止め板３から延設された支持片４の係止部４１を、屋根瓦５０の下端部に係止させて、係止片２の固定部２２のビス孔２０と雪止め板３の固定ビス孔３０とをビス６で固定する。これにより、雪止め金具１は、係止片２と支持片４とが屋根瓦５０を挟持固定し、雪止め板３が屋根瓦５０の上に載置されることとなる。
【００２７】
なお、この施工完了の状態で、係止片２は、間隙から挿入した後に引き戻して係止固定しているだけなので、少なくとも、屋根瓦５０の被覆シロ５０ａと係止部２１の引き戻しの距離との合計の長さを有する係止片２を使用すればよい。これにより、雪止め金具１の雪止め板３は、屋根瓦５０の上端部から１００ｍｍ〜３５０ｍｍの何れか好きな位置に設けることが可能となる。どの位置に設けるかは、係止片２および支持片４の長さを適宜に選択することによって決めることができる。
【００２８】
ただし、係止片２を短くして屋根瓦５０の上端部に近い位置に雪止め板３を設けた場合、雪止め板３は、上段側の屋根瓦５０の下端部と近くなってしまうので、雪止め板３による雪止め効果が充分に発揮できなくなってしまう。
【００２９】
また、屋根瓦５０は、上端部と下端部とで荷重を支持しているため、雪止め板３が屋根瓦５０の略中央に位置するように係止片２の長さを設定した場合、屋根瓦５０には、雪止め板３からの荷重が最も加わり、割れ易くなることが懸念されるので好ましくない。
【００３０】
したがって、係止片２は、雪止め板３が屋根瓦５０の中央よりもさらに下端部側の位置に位置するように長さが設定されたものを用いることが好ましい。さらに好ましくは屋根瓦５０の下端部側の被覆シロ５０ａになっている幅約７０ｍｍの範囲内、すなわち、屋根瓦５０の上端側から２８０ｍｍ〜３５０ｍｍの範囲内に雪止め板３が位置するように係止片２の長さが設定されたものを用いることが好ましい。
【００３１】
なお、係止片２の長さが上記したいずれの場合であっても、支持片４は、この係止片２の長さに合わせて、係止片２と支持片４との合計の長さが屋根瓦５０を挟持固定することができる長さとなるように決定される。
【００３２】
この雪止め金具１によると、既設の屋根瓦５０の隙間から係止片２を挿入して係止させ、この係止片２と、雪止め板３とをビス６で固定しているだけなので、簡単に施工することができる。また、この施工状態で、雪止め板３は、この雪止め板３から延設された支持片４の係止部４１を屋根瓦５の下端部に係止させ、屋根瓦５０を上下から挟持固定しているので、安定した固定状態が得られることとなる。
【００３３】
また、係止片２の長さ調整によって、上段の屋根瓦５０から充分に離れた屋根瓦５０の下端部に近い位置に施工することができるので、屋根瓦５０の段差の影響も少なく、雪止め板３を充分に効かせて優れた雪止め効果を得ることができる。しかも、この屋根瓦５０の下端部に近い被覆シロ５０ａの位置に雪止め板３が位置するように長さ調整された係止片２を用いて施工することで、屋根瓦５０に加わる雪止め金具１の荷重を、強固な被覆シロ５０ａの部分に負担させることができることとなるので、優れた耐久性が得られる。
【００３４】
なお、本実施の形態において、支持片４は、雪止め板３と一体に形成され、この雪止め板３から延設されているが、支持片４と雪止め板３とを別々に構成して現場で施工する際に一体化するものであってもよい。
【００３５】
また、本実施の形態において、屋根５を構成する屋根瓦５０のサイズは特に限定されるものではなく、本実施の形態はその一例を示したに過ぎない。
【００３６】
さらに、本実施の形態において、係止片２の固定部２２のビス孔２０と雪止め板３の固定ビス孔３０とをビス５で固定するようになされているが、係止片２の固定部２２のボルト孔（図示省略）と雪止め板３の固定ボルト孔（図示省略）とをボルトナット（図示省略）で固定するようになされたものであってもよい。この場合、ナットは、ボルト孔または固定ボルト孔にあらかじめ溶接固定しておいても良い。
【産業上の利用可能性】
【００３７】
既設の住宅建物に取付可能な雪止め金具として利用できる。
【図面の簡単な説明】
【００３８】
【図１】本発明に係る雪止め金具の全体構成の概略を示す斜視図である。
【図２】本発明に係る雪止め金具の施工工程を示す斜視図である。
【図３】本発明に係る雪止め金具の施工工程を示す斜視図である。
【図４】本発明に係る雪止め金具の施工工程を示す斜視図である。
【図５】従来の雪止め金具の施工完了状態を示す側断面図である。
【符号の説明】
【００３９】
１  雪止め金具
２  係止片
２１  係止部
２２  固定部
２０  ビス孔
３  雪止め板
３０  固定ビス孔
４  支持片
４１  係止部
５  屋根
５０  屋根瓦
５０ａ  被覆シロ
６  ビス
【図１】
2007315138.tif 000003
【図２】
2007315138.tif 000004
【図３】
2007315138.tif 000005
【図４】
2007315138.tif 000006
【図５】
2007315138.tif 000007